(57)【要約】【課題】  本発明は、瞬時停電に対応可能な瞬停対応型の端末制御装置（例えば照明制御装置）及びこれを備えた端末制御システムを提供することを目的とする。【解決手段】  端末装置の監視・制御及び監視結果の送信・制御信号の受信を制御端末装置に行う処理部１２と動作クロック信号の供給及び消費電力の低減を処理部１２に行う消費電力低減部１１と商用電源を各部に供給する電源回路部１０とを備えた本発明の瞬停対応型の照明制御装置は、電源回路部１０が所定電圧値を所定時間保持するバックアップ電源回路１０３を含み、消費電力低減部１１がバックアップ電源回路１０３の出力電圧を検出して検出出力電圧が第１閾値以下の場合に電圧低下割込み信号を処理部１２に出力し検出出力電圧が第２閾値以上の場合に動作クロック信号の供給を開始し、処理部１２が電圧低下割込み信号の入力により消費電力低減部１１にクロック供給停止信号を出力する。【選択図】      図２
2005141623.tif 000002
【特許請求の範囲】
【請求項１】
第１伝送路を介して接続された端末装置を監視及び／又は制御すると共に、第２伝送路を介して接続された制御端末装置に対して監視結果の送信及び／又は制御信号の受信を行う処理部と、前記処理部を動作させるクロック信号を前記処理部に供給すると共に前記処理部の消費電力を低減する消費電力低減部と、商用電源からの電力を駆動電源の必要な回路に供給する電源回路部とを備え、瞬時停電に対応可能な瞬停対応型の端末制御装置において、
前記電源回路部は、所定の電圧値を所定の時間保持するバックアップ電源回路を含み、
前記消費電力低減部は、前記バックアップ電源回路の出力電圧を検出すると共に、前記バックアップ電源回路の出力電圧が第１閾値以下になった場合にその旨を示す電圧低下割込み信号を前記処理部に出力し、前記バックアップ電源回路の出力電圧が第２閾値以上になった場合にクロック信号の供給を開始し、
前記処理部は、電圧低下割込み信号が入力されると前記消費電力低減部にクロック信号の供給を停止させるクロック供給停止信号を出力すること
を特徴とする瞬停対応型の端末制御装置。
【請求項２】
前記制御端末装置と通信信号を送受信するためのネットワーク通信部をさらに備え、
前記消費電力低減部は、前記バックアップ電源回路の出力電圧が第２閾値以上になった場合にその旨を示す電圧復帰割込み信号を前記処理部にさらに出力し、
前記処理部は、電圧低下割込み信号が入力されると前記ネットワーク通信部の動作を停止させる低動作モードの動作モード制御信号を前記ネットワーク通信部に出力し、電圧復帰割込み信号が入力されると前記ネットワーク通信部の動作を開始させる通常動作モードの動作モード制御信号を前記ネットワーク通信部にさらに出力すること
を特徴とする請求項１に記載の瞬停対応型の端末制御装置。
【請求項３】
前記制御端末装置と通信信号を送受信するためのネットワーク通信部をさらに備え、前記ネットワーク通信部は、前記処理部が停止中に前記制御端末装置から通信信号を受信するとその旨を示すネットワーク通信割込み信号を前記消費電力低減部に出力し、
前記電力消費低減部は、前記ネットワーク通信割込み信号が入力されると、クロック信号の供給を開始すると共に前記ネットワーク通信部に通信信号が受信された旨を示す一時復帰割込み信号を前記処理部に出力し、
前記処理部は、前記一時復帰割込み信号が入力されると、前記ネットワーク通信部を介して前記通信信号を送信した前記制御端末装置に、通信信号に応答することができない旨を示す否定応答信号を送信すること
を特徴とする請求項１に記載の瞬停対応型の端末制御装置。
【請求項４】
前記処理部は、電圧復旧割込み信号が入力されると、前記端末装置の動作状態を取得すると共に、取得した端末装置の動作状態が取得前の端末装置の動作状態と異なる場合に、取得した端末装置の動作状態を前記端末制御装置にさらに送信すること
を特徴とする請求項１乃至請求項３の何れか１項に記載の瞬停対応型の端末制御装置。
【請求項５】
前記処理部は、電圧低下割り込み信号が入力されるとその動作の停止を開始する旨を示す低消費電力状態開始信号を前記制御端末装置に送信すると共に、電圧復帰割り込み信号が入力されるとその動作を開始する旨を示す低消費電力状態解除信号を前記制御端末装置にさらに送信すること
を特徴とする請求項１乃至請求項４の何れか１項に記載の瞬停対応型の端末制御装置。
【請求項６】
前記処理部は、電圧低下割込み信号が入力された時から前記バックアップ電源回路の前記所定の時間の経過直前に、前記バックアップ電源回路の前記所定の時間を経過しても動作を開始できない旨を示す通信信号を前記制御端末装置に送信すること
を特徴とする請求項１乃至請求項５の何れか１項に記載の瞬停対応型の端末制御装置。
【請求項７】
端末装置と、制御端末装置と、前記端末装置を監視及び／又は制御すると共に、監視結果の送信及び／又は制御信号の受信を前記制御端末装置に対して行う端末制御装置とを備える端末制御システムにおいて、
前記端末制御装置は、請求項１乃至請求項６の何れか１項に記載の瞬停対応型の端末制御装置であること
を特徴とする端末制御システム。
【請求項８】
前記制御端末装置は、前記端末制御装置の動作が停止していることを知った時から、前記バックアップ電源回路の前記所定の時間の経過後に、前記監視結果の送信を要求する通信信号又は前記制御信号の送信を行うこと
を特徴とする請求項７に記載の端末制御システム。
【請求項９】
前記制御端末装置は、前記端末制御装置の動作が停止していることを知った時から、前記バックアップ電源回路の前記所定の時間の経過後においても、前記端末制御装置の動作が停止していることを知った場合に、前記端末制御装置が動作していない場合の対応処理である異常処理を行うこと
を特徴とする請求項７又は請求項８に記載の端末制御システム。
【発明の詳細な説明】
【技術分野】
【０００１】
本発明は、複数の端末装置を遠隔で制御する端末制御装置に関し、特に、商用電源に瞬時停電（瞬停）があった場合に所定の対応が可能な瞬停対応型の端末制御装置に関する。さらに、このような瞬停対応型の端末制御装置を備えた端末制御システムに関する。
【背景技術】
【０００２】
近年、ネットワーク技術等の発達により、オフィスビル、集合住宅及び工場等の建物に設置される複数の端末装置をローカルなネットワークで接続して端末装置の運転状態の監視及び／又は制御を遠隔で行う端末制御装置が知られている。さらに、近年では、このような端末制御装置で収集された端末装置の運転状態に係る情報について端末制御装置からの受信、及び／又は、端末制御装置が行う制御に対する指令内容について端末制御装置への送信を行う管理センタ装置（制御端末装置）がグローバルな或いはローカルなネットワークを介して接続される端末制御システムも知られている（例えば、特許文献１、特許文献２、特許文献３を参照）。
【０００３】
一方、瞬停や停電等の電源遮断時に対応する様々な技術が研究・開発されている。例えば、特許文献４には、ディジタルＴＶ放送受信機に無停電電源装置（ＵＰＳ）を組み込み、秘匿性の高い情報を保持する技術について開示されている。
【特許文献１】特開２００２−６９４３号公報
【特許文献２】特開２００２−３５４５５３号公報
【特許文献３】特開２００３−０１８６６７号公報
【特許文献４】特開平７−２７１７５４号公報
【発明の開示】
【発明が解決しようとする課題】
【０００４】
ところで、停電が生じると端末制御装置が停止するため、端末制御装置によって監視及び／又は制御されている端末装置が動作不良等の障害を引き起こしてしまう。このような障害を回避するために、端末制御装置に無停電電源装置を組み込むことが考えられる。しかしながら、近年の端末制御装置は、ユーザ（使用者）の様々な要望に応えるために高機能化されており、これに対応するため高性能なマイクロプロセッサ、通信インタフェース回路及び大容量記憶素子等が利用されている。このため、端末制御装置の電力消費量が増大しており、停電対策に無停電電源装置を組み込むとその無停電電源装置が大型であるため、端末制御装置の大型化や高価格化等を招いてしまう。
【０００５】
一方、何ら電源遮断時の対策を施さないと、瞬停でも端末制御装置がリセットして初期化動作を開始してしまうため、その初期化動作が完了するまでの数十秒から数分の間、ユーザからの操作を受付けず、ユーザは、端末制御装置をその意図通りに使用することができなくなってしまう。このため、ユーザに使い勝手の悪い印象を与え、違和感や不信感を抱かせ、ブランドイメージを損なってしまいかねない。
【０００６】
本発明は、上述の事情に鑑みて為された発明であり、電源に瞬停があった場合に、初期化動作を行うことなく所定の対応が可能な瞬停対応型の端末制御装置を提供することを目的とする。さらに、このような瞬停対応型の端末制御装置を組み込んだ端末制御システムを提供することを目的とする。
【課題を解決するための手段】
【０００７】
上述の目的を達成するために、本発明では、第１伝送路を介して接続された端末装置を監視及び／又は制御すると共に、第２伝送路を介して接続された制御端末装置に対して監視結果の送信及び／又は制御信号の受信を行う処理部と、前記処理部を動作させるクロック信号を前記処理部に供給すると共に前記処理部の消費電力を低減する消費電力低減部と、商用電源からの電力を駆動電源の必要な回路に供給する電源回路部とを備え、瞬時停電に対応可能な瞬停対応型の端末制御装置において、前記電源回路部は、所定の電圧値を所定の時間保持するバックアップ電源回路を含み、前記消費電力低減部は、前記バックアップ電源回路の出力電圧を検出すると共に、前記バックアップ電源回路の出力電圧が第１閾値以下になった場合にその旨を示す電圧低下割込み信号を前記処理部に出力し、前記バックアップ電源回路の出力電圧が第２閾値以上になった場合にクロック信号の供給を開始し、前記処理部は、電圧低下割込み信号が入力されると前記消費電力低減部にクロック信号の供給を停止させるクロック供給停止信号を出力することを特徴とする。
【０００８】
そして、このような瞬停対応型の端末制御装置において、前記制御端末装置と通信信号を送受信するためのネットワーク通信部をさらに備え、前記消費電力低減部は、前記バックアップ電源回路の出力電圧が第２閾値以上になった場合にその旨を示す電圧復帰割込み信号を前記処理部にさらに出力し、前記処理部は、電圧低下割込み信号が入力されると前記ネットワーク通信部の動作を停止させる低動作モードの動作モード制御信号を前記ネットワーク通信部に出力し、電圧復帰割込み信号が入力されると前記ネットワーク通信部の動作を開始させる通常動作モードの動作モード制御信号を前記ネットワーク通信部にさらに出力することを特徴とする。
【０００９】
また、上述の瞬停対応型の端末制御装置において、前記制御端末装置と通信信号を送受信するためのネットワーク通信部をさらに備え、前記ネットワーク通信部は、前記処理部が停止中に前記制御端末装置から通信信号を受信するとその旨を示すネットワーク通信割込み信号を前記消費電力低減部に出力し、前記電力消費低減部は、前記ネットワーク通信割込み信号が入力されると、クロック信号の供給を開始すると共に前記ネットワーク通信部に通信信号が受信された旨を示す一時復帰割込み信号を前記処理部に出力し、前記処理部は、前記一時復帰割込み信号が入力されると、前記ネットワーク通信部を介して前記通信信号を送信した前記制御端末装置に、通信信号に応答することができない旨を示す否定応答信号を送信することを特徴とする。
【００１０】
さらに、これら上述の瞬停対応型の端末制御装置において、前記処理部は、電圧復旧割込み信号が入力されると、前記端末装置の動作状態を取得すると共に、取得した端末装置の動作状態が取得前の端末装置の動作状態と異なる場合に、取得した端末装置の動作状態を前記端末制御にさらに送信することを特徴とする。
【００１１】
また、これら上述の瞬停対応型の端末制御装置において、前記処理部は、電圧低下割り込み信号が入力されるとその動作の停止を開始する旨を示す低消費電力状態開始信号を前記制御端末装置に送信すると共に、電圧復帰割り込み信号が入力されるとその動作を開始する旨を示す低消費電力状態解除信号を前記制御端末装置にさらに送信することを特徴とする。
【００１２】
さらに、これら上述の瞬停対応型の端末制御装置において、前記処理部は、電圧低下割込み信号が入力された時から前記バックアップ電源回路の前記所定の時間の経過直前に、前記バックアップ電源回路の前記所定の時間を経過しても動作を開始できない旨を示す通信信号を前記制御端末装置に通知することを特徴とする。
【００１３】
そして、本発明では、端末装置と、制御端末装置と、前記端末装置を監視及び／又は制御すると共に、監視結果の送信及び／又は制御信号の受信を前記制御端末装置に対して行う端末制御装置とを備える端末制御システムにおいて、前記端末制御装置は、それら上述の瞬停対応型の端末制御装置であることを特徴とする。
【００１４】
また、この端末制御システムにおいて、前記制御端末装置は、前記端末制御装置の動作が停止していることを知った時から、前記バックアップ電源回路の前記所定の時間の経過後に、前記監視結果の送信を要求する通信信号又は前記制御信号の送信を行うことを特徴とする。
【００１５】
さらに、これら上述の端末制御システムにおいて、前記制御端末装置は、前記端末制御装置の動作が停止していることを知った時から、前記バックアップ電源回路の前記所定の時間の経過後においても、前記端末制御装置の動作が停止していることを知った場合に、前記端末制御装置が動作していない場合の対応処理である異常処理を行うことを特徴とする。
【発明の効果】
【００１６】
このような構成の端末制御装置は、バックアップ電源回路の出力電圧を監視し、出力電圧が閾値以下に低下すると比較的多くの電力を消費する処理部を動作停止状態に制御するので、バックアップ電源回路の電力保持容量が比較的小容量で済み、そして、バックアップ電源回路の電圧で端末制御装置の各部の動作を保持することができる。このため、ユーザに使い勝手の悪い印象、違和感又は不信感を抱かせることを軽減することができる。端末制御装置を小型化することができ、また、低価格化することができる。
【００１７】
そして、制御端末装置及びネットワーク通信部も動作停止状態とする構成では、ネットワーク通信部も動作停止状態となるので消費電力をさらに抑制することができ、端末制御装置の各部の動作を保持する時間をより長時間化することができる。処理部が動作停止状態中に制御端末装置から通信信号を受信した場合に、否定応答信号を当該制御端末装置に返信する構成では、制御端末装置に処理部が動作停止状態中であることを通知することができるので、制御端末装置は、端末制御装置が動作停止中であることを認識することができ、これに応じた適切な処理を実行することができる。瞬停復旧後に端末装置の動作状態を監視し、瞬停前の動作状態と異なる動作状態を制御端末装置に通知する構成では、瞬停中にユーザによって端末装置が操作されたとしても速やかに操作結果を制御端末装置に反映することができ、端末装置の動作状態と端末情報との不一致を無くすことができる。制御端末装置に端末制御装置の動作停止及び動作開始を通知する構成では、制御端末装置がこのことを認識することができるので、制御端末装置は、これに応じた適切な処理を実行することができる。制御端末装置が復旧しない旨を端末制御装置に通知する構成では、このことを認識することができるので、制御端末装置は、これに応じた適切な処理を実行することができる。
【００１８】
また、このような構成の端末制御システムは、端末制御装置が瞬時停電に対応することができるので、ユーザに使い勝手の悪い印象、違和感又は不信感を抱かせることを軽減することができる。さらに、制御端末装置が所定の時間の経過後に通信信号を再送信する構成では、自動的にリトライを行うので、ユーザの手間を省くことができる。端末制御装置が所定の時間の経過後においても動作停止中であることを制御端末装置が認識する構成では、瞬時停電ではなく長時間の停電であることや何らかの障害が端末制御装置に生じたことを判断することができ、制御端末装置は、これに応じた適切な処理を実行することができる。
【発明を実施するための最良の形態】
【００１９】
以下、本発明に係る実施形態を図面に基づいて説明する。なお、各図において同一の符号を付した構成は、同一の構成であることを示し、その説明を省略する。
（第１実施形態の構成）
本実施形態では、本発明が照明器具を監視及び制御する照明制御システムに適用された場合について以下に説明する。
【００２０】
図１は、第１実施形態に係る照明制御システムの構成を示すブロック図である。図２は、第１実施形態に係る照明制御装置の構成を示すブロック図である。図３は、第１実施形態に係る照明制御装置の概観図である。
【００２１】
図１において、本第１実施形態に係る照明制御システム１０００は、照明制御装置１と、スイッチ（以下、「ＳＷ」と略記する。）２（２ａ、２ｂ、２ｃ、２ｄ、２ｅ、２ｆ）と、照明器具３（３ａ、３ｂ、３ｃ、３ｄ、３ｅ、３ｆ）と、制御端末装置（以下、「ＰＣ」と略記する。）４（４ａ、４ｂ）とを備えて構成され、ＳＷ２及び照明器具３と照明制御装置１とは、相互に通信可能とすべく伝送路Ｌ１に接続され、そして、制御端末装置４と照明制御装置１とは、相互に通信可能とすべく伝送路Ｌ２に接続される。
【００２２】
照明制御装置１は、ＳＷ２のオン・オフ操作又はＰＣ４からのオン・オフ指令による照明器具３の点滅制御（点灯制御・消灯制御）、ＳＷ２における照明器具３の点滅状態（点灯状態・消灯状態）の表示制御、及び、照明器具３の点滅状態のＰＣ４への通知等を行う装置であり、瞬時停電に対応可能な装置である。その詳細については、後述する。
【００２３】
ＳＷ２は、オン・オフ操作がなされることによって照明器具３の点滅（点灯・消灯）を指示する情報を収容した通信信号を伝送路Ｌ１を介して照明制御装置１に送信すると共に、照明器具３の点滅状態を例えばＬＥＤ等の表示部に表示する器具である。ＳＷ２は、１又は複数であり、照明器具３の個数に応じた個数が用意され、図１に示す例では、ＳＷａ２ａ、ＳＷｂ２ｂ、ＳＷｃ２ｃ、ＳＷｄ２ｄ、ＳＷｅ２ｅ及びＳＷｆ２ｆの６個である。
【００２４】
照明器具３は、照明制御装置１から送信された、点滅を指示する点滅制御情報を収容した通信信号に応じて発光部の点滅を制御すると共に、制御結果を伝送路Ｌ１を介して照明制御装置１に通知する。照明器具３は、１又は複数であり、例えば、図１に示す例では、照明器具ａ３ａ、照明器具ｂ３ｂ、照明器具ｃ３ｃ、照明器具ｄ３ｄ、照明器具ｅ３ｅ及び照明器具ｆ３ｆの６個であるが、その個数は、任意でよい。
【００２５】
ＳＷａ２ａ、ＳＷｂ２ｂ、ＳＷｃ２ｃ、ＳＷｄ２ｄ、ＳＷｅ２ｅ及びＳＷｆ２ｆは、それぞれ照明器具ａ３ａ、照明器具ｂ３ｂ、照明器具ｃ３ｃ、照明器具ｄ３ｄ、照明器具ｅ３ｅ及び照明器具ｆ３ｆにそれぞれ対応付けられている。なお、グループ制御やパターン制御を指示するスイッチをさらに設けても良い。グループ制御は、複数の照明器具３を纏めて点滅する制御であり、パターン制御は、複数の照明器具のうち一群の照明器具を点灯すると共に残りの照明器具を消灯することによって当該複数の照明器具で点滅のパターンを作る制御である。例えば、照明器具が４個の照明器具Ｗ、Ｘ、Ｙ、Ｚである場合に、照明器具Ｗ、Ｘを点灯すると共に照明器具Ｙ、Ｚを消灯する第１パターンや、照明器具Ｗ、Ｚを点灯すると共に照明器具Ｘ、Ｙを消灯する第２パターン等である。
【００２６】
これらＳＷ２及び照明器具３は、照明制御装置１によって監視及び制御される請求項の端末装置の一例であり、照明制御装置１は、請求項の端末制御装置の一例である。
【００２７】
伝送路Ｌ１は、照明制御装置１、各ＳＷ２及び各照明器具３を相互に通信可能に接続する通信線であり、請求項の第１伝送路に相当する。伝送路Ｌ１は、例えば、通信プロトコルにイーサネット（Ethernet、登録商標）の通信プロトコル、松下電工社が提唱するＮＭＡＳＴ（登録商標）の通信プロトコル、電力線通信のプロトコル及びｅｍＷａｒｅ社が提唱するＥＭＩＴ（ｅｍＮＥＴ）の通信プロトコル等を用いてローカルエリアネットワーク（ＬＡＮ）を構成する。
【００２８】
ＰＣ４は、照明制御装置１から伝送路Ｌ２を介して、ＳＷ２におけるオン・オフ操作の状態に係る情報や照明器具３における点滅の状態に係る情報を収容した通信信号を受信して必要に応じて例えばＬＣＤやＣＲＴディスプレイ等の表示装置に表示する共に、照明器具３の点滅を指示する情報を収容した通信信号を照明制御装置１に伝送路Ｌ２を介して送信するコンピュータである。ＰＣ４は、例えば図１に示す例では、照明制御システム１０００を管理する管理者が取り扱う管理者用のＰＣａ４ａ、及び、照明制御システム１０００が設置されている建物の居住者が取り扱う居住者用のＰＣｂ４ｂの２個であるが、その個数は、任意でよい。
【００２９】
伝送路Ｌ２は、照明制御装置１及びＰＣ４を相互に通信可能に接続する通信線であり、請求項の第２伝送路に相当する。伝送路Ｌ２は、例えばイーサネット（Ethernet、登録商標）の通信プロトコル等を用いてローカルエリアネットワーク（ＬＡＮ）を構成する。なお、伝送路Ｌ２は、例えば、電話網、ディジタル通信網及び無線通信網等でもよく、通信プロトコルにＴＣＰ／ＩＰ（Transmission Control Protocol/Internet Protocol）等のインターネットプロトコルが用いられてインターネットを構成してもよい。
【００３０】
次に、照明制御装置１の構成について説明する。
【００３１】
図２において、照明制御装置１は、商用電源の交流を所定電圧の直流に変換すると共に、商用電源の交流電圧が低下した場合でも所定時間だけ電圧を保持する電源回路部１０と、伝送路Ｌ１を介して接続されたＳＷ２や照明器具３を監視及び／又は制御すると共に監視結果の送信及び／又は制御信号の受信を伝送路Ｌ２を介して接続されたＰＣ４に対して行う等の所定の情報処理を制御プログラムに基づいて実行する処理部１２と、商用電源からの電力供給が遮断した場合に処理部１２の駆動を制御することによって消費電力の低減を図る消費電力低減部１１と、伝送路Ｌ１を介してＳＷ２及び照明器具３の端末装置と通信を行うと共に伝送路Ｌ２を介してＰＣ４と通信を行う通信インタフェース部１３とを備えて構成される。
【００３２】
電源回路部１０は、商用電源から交流が供給され所定の周波数帯域をカットするラインフィルタ１０１と、ラインフィルタ１０１から出力される交流を直流に整流する整流回路１０２と、整流回路１０２から出力される直流で所定容量が充電され商用電源の交流電圧が低下した場合でも所定時間電圧を保持するバックアップ電源回路１０３と、バックアップ電源回路１０３から出力される直流の電圧を所定電圧に変換するＤＣ−ＤＣコンバータ１０４とを備えて構成される。所定時間は、後述の停電保証時間に相当し、照明制御装置１が対応可能とすべき瞬停時間の仕様によって決定され、所定容量は、この所定時間から決定される。
【００３３】
ラインフィルタ１０１は、例えば、商用周波数を含む周波数帯域を通過させるローパスフィルタを備えて構成され、高周波の雑音をカットする。整流回路１０２は、例えば、ダイオードブリッジ全波整流回路と、平滑コンデンサと、安定化回路とを備えて構成される。バックアップ電源回路は、例えば、小型化、低コスト化の観点からコンデンサが好ましい。本実施形態では、商用周波数の数サイクルから数秒の瞬時停電に対応可能とする観点から、数千μＦ、より具体的には約３０００〜４０００μＦの電解コンデンサが利用される。なお、部品点数を減らし、回路の簡略化と低コスト化を図る観点から、安定化回路を省略してもよく、また、整流回路１０２を構成する平滑コンデンサとバックアップ電源回路１０３を構成するコンデンサとを兼用としてもよい。また、ＤＣ−ＤＣコンバータ１０４が変換する所定電圧は、電力の供給先である消費電力低減部１１、処理部１２及び通信インタフェース１３の動作電圧である。
【００３４】
消費電力低減部１１は、クロック発振回路１１１と、クロック制御部１１２と、電圧監視部１１３と、割込み制御部１１４とを備えて構成される。
【００３５】
クロック発振回路１１１は、処理部１２の動作クロックを発生する回路である。電圧監視部１１３は、バックアップ電源回路１０３の出力電圧を監視して該出力電圧が電圧監視閾値以下になった場合に停電の発生を示す停電発生信号を割込み制御部１１４に出力すると共に、バックアップ電源回路１０３の出力電圧を監視して該出力電圧が電圧監視閾値以上になった場合に停電の復旧を示す停電復旧信号を割込み制御部１１４に出力する回路である。割込み制御部１１４は、電圧監視部１１３からの停電発生信号に応じて停電の際における後述の処理の開始を指示する電圧低下割込み信号を処理部１２に出力すると共に、電圧監視部１１３からの停電復旧信号に応じてクロック制御部にクロック供給の開始を指示するクロック供給開始信号を出力し、そして、電圧監視部１１３からの停電復旧信号に応じて停電復旧の際における後述の処理の開始を指示する電圧復旧割込み信号を処理部１２に出力する回路である。クロック制御部１１２は、クロック発振回路１１１から処理部１２へのクロックの供給を、処理部１２からのクロック供給停止信号によって停止すると共に割込み制御部１１４からのクロック供給開始信号によって開始する回路である。
【００３６】
ここで、クロック制御部１１２及び割込み制御部１１４は、処理部１２の動作モードをＣＰＵ１２１が通常動作状態で動作する通常モード、又は、ＣＰＵ１２１が低消費電力状態で動作する低消費電力モードに切替えるモード切替部１１ａを構成する。
【００３７】
処理部１２は、制御プログラム等を実行することによって照明制御装置１の各部の制御を司る中央処理装置（以下、「ＣＰＵ」と略記する。）１２１と、制御プログラム等の照明制御装置１の動作に必要な各種プログラム等を記憶する第１記憶部１２２と、ＳＷ２のオン・オフ状態及び照明器具３の点滅状態を登録する端末情報テーブル１２３１、並びに、制御プログラムの実行中及び実行後のデータ等を記憶する第２記憶部１２３とを備えて構成される。端末情報テーブル１２３１は、各ＳＷ２及び各照明器具３の端末装置における動作状態をそれぞれ登録するテーブルであり、例えば、各ＳＷ２及び各照明器具３をそれぞれ識別する識別子と、その動作状態とをそれぞれ対応付けたテーブルである。
【００３８】
ＣＰＵ１２１は、例えば、マイクロプロセッサ等を備えて構成される。第１記憶部１２２は、不揮発性の記憶素子、例えば、ＲＯＭ（Read Only Memory）及びＥＥＰＲＯＭ（Electrically Erasable Programmable Read Only Memory）等を備えて構成される。第２記憶部１２３は、書換え可能な記憶素子、例えば、ＲＡＭ（Random Access Memory）等を備えて構成される。
【００３９】
通信インタフェース１３は、ＳＷ２及び照明器具３との間で所定の通信プロトコルに従って通信を行う制御端末通信部１３２と、ＰＣ４との間で所定の通信プロトコルに従って通信を行うネットワーク通信部（以下、「ＮＴ通信部」と略記する。）１３１とを備えて構成される。
【００４０】
制御端末通信部１３２が採用する所定の通信プロトコルは、例えば、電力線通信のプロトコル、ＮＭＡＳＴ及びＥＭＩＴのプロトコル（ｅｍＮＥＴ）等である。ネットワーク通信部１３１が採用する所定の通信プロトコルは、例えば、ＴＣＰ／ＩＰに代表されるインターネットプロトコル群である。
【００４１】
以上の電源回路部１０、消費電力低減部１１、処理部１２及び通信インタフェース１３は、例えば、図３に示すような略直方体形状の筐体に収容される。
【００４２】
次に、本実施形態の動作について説明する。
（第１の実施形態の動作）
図４は、第１実施形態に係る照明制御装置における停電発生及び停電復旧の際のタイミングチャートを示す図である。図４（Ａ）は、照明制御装置における消費電力の時間的な推移を示し、図４（Ｂ）は、ＣＰＵの動作状態の時間的な推移を示し、図４（Ｃ）は、電圧監視部の出力の時間的な推移を示し、図４（Ｄ）は、商用電源の電源電圧の時間的な推移を示す。図５は、第１実施形態に係る照明制御装置における停電発生及び停電復旧の際のシーケンスを示す図である。図６は、第１実施形態の停電発生の場合におけるＣＰＵの動作を示すフローチャートである。図７は、第１実施形態の停電復旧の場合におけるＣＰＵの動作を示すフローチャートである。
【００４３】
図５において、照明制御装置１は、商用電源から実効電圧約１００Ｖの交流が供給されている場合には、ＳＷ２及び照明器具３の端末装置に対し所定の時間間隔で定期的にポーリングを行って監視し、そして、必要に応じてセレクティングを行って制御する（通常動作状態（通常モード））。即ち、照明制御装置１は、各ＳＷ２及び各照明器具３の端末装置における動作状態に関する情報（端末情報）を収集する場合には、各ＳＷ２及び各照明器具３の端末装置に送信すべき情報を有しているか否かを所定の時間間隔で定期的にそれぞれ問合せ、送信すべき情報が有る場合には当該端末装置から当該端末情報を収集する（ポーリング）。そして、照明制御装置１は、収集した端末情報を第２記憶部１２３の端末情報テーブル１２３１に登録する。また、照明制御装置１は、ＳＷ２及び照明器具３の端末装置における動作状態を制御する場合には、動作状態の制御をすべき端末装置を選択して制御に関する情報を送信し、当該端末装置の動作状態を制御する（セレクティング）。例えば、制御対象の端末装置が照明器具３である場合には、照明制御装置１は、点滅を制御し、制御対象の端末装置がＳＷ２である場合には、照明制御装置１は、ＳＷ２に対応する照明器具３の点滅状態に応じてＳＷ２の表示部がその点滅状態を表示するように制御する。
【００４４】
図４（Ｄ）に示すように、電圧監視部１１３は、バックアップ電源回路１０３の出力電圧が電圧監視閾値以下に低下したことを検出すると、商用電源が停電したと判断し、割込み制御部１１４に停電発生信号を出力する。電圧監視閾値は、商用電源の通常の電圧変動を考慮した上で商用電源が停電と判断される電圧に設定され、例えば、商用電源の通常の電圧変動が±１５％である場合にはバックアップ電源回路１０３の通常出力電圧の約８０％に設定される。停電発生信号は、図４（Ｃ）に示すように、本実施形態では、ローレベルからハイレベルへの電圧立上りで表される。
【００４５】
割込み制御部１１４は、電圧監視部１１３からこの停電発生信号が入力されると、電圧低下割込み信号をＣＰＵ１２１に出力する。
【００４６】
図６において、ＣＰＵ１２１は、電圧低下割込み信号の割込みがあると、処理中のデータを第２記憶部１２３に退避して実行中の制御プログラムを一旦停止し（Ｓ１１）、クロック供給停止信号をクロック制御部１１２に出力する（Ｓ１２）。クロック制御部１１２は、ＣＰＵ１２１からこのクロック供給停止信号が入力されると、クロック発振回路１１１からＣＰＵ１２１に供給されるクロックの供給を停止する。ＣＰＵ１２１は、クロックの供給が停止されることによってその動作を停止する。即ち、ＣＰＵ１２１は、図４（Ｂ）に示すように、低消費電力状態（低消費電力モード）となる（Ｓ１３）。
【００４７】
このようにバックアップ電源回路１０３の出力電圧が電圧監視閾値以下に低下すると、商用電源の停電と判断され、ＣＰＵ１２１の動作が停止する。このため、図４（Ａ）に示すように、照明制御装置１の消費電力が非常に少なくなるので、バックアップ電源回路１０３に蓄積されている電力（電荷）によって電圧監視部１１３及び第２記憶部１２３等の必要最小限な部分の動作を瞬停程度の一定時間確保することができる。また、照明制御装置１の消費電力が非常に少なくなるので、無停電電源等の大型のバックアップ電源が必要なく、小容量のコンデンサを備えて構成されるバックアップ電源回路で必要最小限な部分の動作を瞬停程度の一定時間確保することができる。
【００４８】
そして、停電が復旧すると、即ち、電圧監視部１１３は、バックアップ電源回路１０３の出力電圧が電圧監視閾値以上に上昇したことを検出すると、商用電源の停電が復旧したと判断し、割込み制御部１１４に停電復旧信号を出力する。なお、停電発生信号を出力する場合における上述の電圧監視閾値（請求項の第１閾値に相当）と停電復旧信号を出力する場合におけるこの電圧監視閾値（請求項の第２閾値に相当）とは、同一の値に設定してもよいし、異なる値に設定してもよい。この停電復旧信号は、図４（Ｃ）に示すように、本実施形態では、ハイレベルからローレベルへの電圧立下がりで表される。
【００４９】
割込み制御部１１４は、電圧監視部１１３からこの停電復旧信号が入力されると、クロック供給開始信号をクロック制御部１１２に出力した後に、電圧復旧割込み信号をＣＰＵ１２１に出力する。
【００５０】
クロック制御部１１２は、割込み制御部１１４からこのクロック供給開始信号が入力されると、クロック発振回路１１１からＣＰＵ１２１に供給されるクロックの供給を開始する。
【００５１】
ＣＰＵ１２１は、クロックの供給が開始されることによってその動作を再開する。即ち、ＣＰＵ１２１は、図４（Ｂ）に示すように、通常動作状態（通常モード）となる。
【００５２】
図７において、ＣＰＵ１２１は、割込み制御部１１４から電圧復旧割込み信号の割込みがあると（Ｓ２１）、ＣＰＵ１２１は、各ＳＷ２及び各照明器具３の各端末装置にその端末情報をそれぞれ問い合わせ、各端末装置から端末情報をそれぞれ収集する。そして、ＣＰＵ１２１は、各照明器具３の点滅状態に対応するように各ＳＷ２の表示部をそれぞれ制御する（Ｓ２２）。
【００５３】
ＣＰＵ１２１は、ＳＷ２及び照明器具３の端末装置から収集した端末情報を、クロック供給停止信号の出力前における第２記憶部１２３の端末情報テーブル１２３１に登録されている当該端末装置の端末情報と比較し、その端末情報に変化があるか否かを、各端末装置についてそれぞれ判断する（Ｓ２３）。
【００５４】
判断の結果、全ての端末装置について端末情報に変化がなかった場合（Ｎｏ）には、即ち、収集した端末情報と端末情報テーブル１２３１の端末情報とが全て一致する場合（Ｎｏ）には、ＣＰＵ１２１は、その処理を終了する。
【００５５】
一方、判断の結果、何れかの端末装置について端末情報に変化があった場合（Ｙｅｓ）には、即ち、収集した端末情報と端末情報テーブル１２３１の端末情報とが不一致である場合（Ｎｏ）には、ＣＰＵ１２１は、端末情報テーブル１２３１において変化があった端末装置に対応する登録内容を収集した端末情報で更新する（Ｓ２４）。
【００５６】
そして、ＣＰＵ１２１は、この更新した、端末情報テーブル１２３１において変化があった端末装置に対応する端末情報をＮＴ通信部１３１及び伝送路Ｌ２を介してＰＣ４に通知し（Ｓ２５、図５のＮ１）、その処理を終了する。なお、変化があった端末装置に対応する端末情報だけでなく、全ての端末装置の端末情報をＰＣ４に通知するように構成してもよいが、本実施形態のように変化があった端末装置に対応する端末情報だけを送信するように構成することにより、送信データ容量を少なくすることができる。
【００５７】
そして、ＣＰＵ１２１は、図６のＳ１１で一旦停止した制御プログラムを再開する。
【００５８】
このように停電復帰後に照明制御装置１が動作するので、停電中にＳＷ２が操作され照明器具３の点滅状態が停電前と異なっていたとしても、現在の照明器具３の点滅状態がＳＷ２及びＰＣ４にそれぞれ速やかに反映させることができる。このため、停電があったとしても現在の照明器具３の点滅状態とＳＷ２及びＰＣ４の表示が一致するので、ユーザに違和感や照明制御システムに不信感を与えることなく、信頼感を与え、ブランドイメージを向上させることができる。
【００５９】
次に、別の実施形態について説明する。
（第２の実施形態の構成）
第２の実施形態に係る照明制御装置（符号を１’とする）は、第１の実施形態に係る照明制御装置１の動作に加えて、低消費電力状態中にＮＴ通信部１３１が通信信号を受信した場合に、当該通信信号に応答することができない旨を当該通信信号の送信元に返送し、照明制御装置１’が低消費電力状態中であることを当該通信信号の送信元に認識させる装置である。
【００６０】
従って、第２の実施形態に係る照明制御装置１’は、ＮＴ通信部１３１、割込み制御部１１４及びＣＰＵ１２１が第１の実施形態に係る照明制御装置１の動作に加えて、低消費電力状態中に後述のように動作することを除き、第１の実施形態に係る照明制御装置１と同様であるので、その説明を省略する。
【００６１】
次に、本実施形態の動作について説明する。
（第２の実施形態の動作）
図８は、第２実施形態に係る照明制御装置における、停電保証期間中に停電が復帰した場合の停電発生及び停電復旧の際のシーケンスを示す図である。図９は、第２実施形態に係る照明制御装置における、停電保証期間中に停電が復帰しなかった場合の停電発生及び停電復旧の際のシーケンスを示す図である。図１０は、第２実施形態の低消費電力状態にある場合におけるＣＰＵの動作を示すフローチャートである。
【００６２】
図８及び図９において、商用電源から実効電圧約１００Ｖの交流が供給されている場合における、照明制御装置１のＳＷ２及び照明器具３の端末装置に対する監視及び制御の動作、及び、バックアップ電源回路１０３の出力電圧が電圧監視閾値以下に低下した場合における照明制御装置１の動作は、第１の実施形態における照明制御装置１の動作と同様であるので、その説明を省略する。
【００６３】
図８乃至図１０において、ＣＰＵ１２１が低消費電力状態にある場合に、ＰＣ４がＳＷ２及び照明器具３の端末装置に対する制御要求や端末情報の送信要求等の通信信号（送信メッセージ）を伝送路Ｌ２を介して送信すると（図８のＮ２ａ、図９のＮ２ａ）、ＮＴ通信部１３１は、伝送路Ｌ２から通信信号を受信した旨を示すネットワーク通信割込み信号を割込み制御部１１４に出力する。
【００６４】
割込み制御部１１４は、ネットワーク通信割込み信号を受信すると、クロック供給開始信号をクロック制御部１１２に出力した後に、一時復帰割込み信号をＣＰＵ１２１に出力する。
【００６５】
クロック制御部１１２は、割込み制御部１１４からこのクロック供給開始信号が入力されると、クロック発振回路１１１からＣＰＵ１２１に供給されるクロックの供給を開始する。
【００６６】
ＣＰＵ１２１は、クロックの供給が開始されることによってその動作を再開する。即ち、ＣＰＵ１２１は、通常動作状態（通常モード）となる。
【００６７】
図１０において、ＣＰＵ１２１は、割込み制御部１１４から一時復帰割込み信号の割込みがあると（Ｓ３１）、ＣＰＵ１２１は、ＮＴ通信部１３１から通信信号を受信し（Ｓ３２）、この通信信号の送信元に対して、通信信号に応答することができない旨を示す否定応答信号（ＮＡＫ応答信号）をＮＴ通信部１３１及び伝送路Ｌ２を介して送信する（Ｓ３３、図８のＮ３、図９のＮ３）。そして、ＣＰＵ１２１は、クロック供給停止信号をクロック制御部１１２に出力する（Ｓ３４）。クロック制御部１１２は、ＣＰＵ１２１からこのクロック供給停止信号が入力されると、クロック発振回路１１１からＣＰＵ１２１に供給されるクロックの供給を停止する。ＣＰＵ１２１は、クロックの供給が停止されることによってその動作を停止する。即ち、ＣＰＵ１２１は、低消費電力状態（低消費電力モード）となる（Ｓ３５）。
【００６８】
一方、ＰＣ４は、照明制御装置１から伝送路Ｌ２を介して否定応答信号を受信すると（図８のＮ３、図９のＮ３）、照明制御装置１がその動作を停止中であることを認識し、照明制御装置１の停電保証時間が経過した後（停電保証時間の経過直後、あるいは、停電保証時間の経過後さらに所定時間経過後）に、上述の通信信号を再送信する（図８のＮ２ｂ、図９のＮ２ｂ）。停電保証時間は、バックアップ電源回路１０３が電圧を保持可能な時間である。
【００６９】
そして、ＰＣ４は、この通信信号の再送信に対して通信信号に応答可能である旨を示す応答信号（ＡＣＫ応答信号）を受信すると（図８のＮ４）、照明制御装置１が動作中であると認識し、通常の所定の処理を実行する。一方、ＰＣ４は、この通信信号の再送信に対して所定の時間が経過しても応答信号や否定応答信号等何ら通信信号を受信しない場合には（図９）、照明制御装置１が停電保証時間を越えて動作停止中であると認識し、照明制御装置１が異常である旨を表示装置に表示する等、所定の異常処理を実行する。
【００７０】
そして、停電が復旧した場合の照明制御装置１の動作は、第１の実施形態における照明制御装置１の動作と同様であるので、その説明を省略する。
【００７１】
以上のように、停電により照明制御装置１’が低消費電力状態である場合でも、伝送路Ｌ２から通信信号を受信すると、否定応答信号を通信信号の送信元のＰＣ４に返信するので、送信元のＰＣ４は、照明制御装置１’が低消費電力状態であることを認識することができる。そのため、送信元は、停電保証時間の経過後に適切な処理、本実施形態では、通信信号を再送する処理を行うことができる。このため、ユーザに照明制御システムに対する信頼感を与え、ブランドイメージを向上させることができる。
【００７２】
次に、別の実施形態について説明する。
（第３の実施形態の構成）
第３の実施形態に係る照明制御装置（符号を１”とする）は、停電中にＣＰＵ１２１に加えてＮＴ通信部１３１も低消費電力状態になる実施形態である。
【００７３】
従って、第３の実施形態に係る照明制御装置１”では、ＣＰＵ１２１は、第１の実施形態に係る照明制御装置１の機能に加えて、割込み制御部１１４から電圧低下割込み信号を受信すると低動作モードを指示する低動作モードの動作モード制御信号をＮＴ通信部１３１に出力すると共に、割込み制御部１１４から電圧復旧割込み信号を受信すると通常動作モードを指示する通常動作モードの動作モード制御信号をＮＴ通信部１３１に出力する機能を備える。そして、ＮＴ通信部１３１は、第１の実施形態に係る照明制御装置１の機能に加えて、ＣＰＵ１２１から低動作モードの動作モード制御信号を受信すると伝送路Ｌ２を介して通信信号を送受信する回路の動作を停止し、ＣＰＵ１２１から通常動作モードの動作モード制御信号を受信するとその動作を開始する機能を備える。これらの点を除き、第３の実施形態に係る照明制御装置１”の構成は、第１の実施形態に係る照明制御装置１と同様であるので、その説明を省略する。
【００７４】
次に、本実施形態の動作について説明する。
（第３の実施形態の動作）
図１１は、第３実施形態に係る照明制御装置における停電発生及び停電復旧の際のタイミングチャートを示す図である。図１１（Ａ）は、照明制御装置における消費電力の時間的な推移を示し、図１１（Ｂ）は、ＣＰＵの動作状態の時間的な推移を示し、図１１（Ｃ）は、ネットワーク通信部の動作状態の時間的な推移を示し、図１１（Ｄ）は、電圧監視部の出力の時間的な推移を示し、図１１（Ｅ）は、商用電源の電源電圧の時間的な推移を示す。図１２は、第３実施形態に係る照明制御装置における、停電保証期間中に停電が復帰した場合の停電発生及び停電復旧の際のシーケンスを示す図である。図１３は、第３実施形態に係る照明制御装置における、停電保証期間中に停電が復帰しなかった場合の停電発生及び停電復旧の際のシーケンスを示す図である。図１４は、第３実施形態の停電発生の場合におけるＣＰＵの動作を示すフローチャートである。
【００７５】
図１１乃至図１３において、商用電源から実効電圧約１００Ｖの交流が供給されている場合における、照明制御装置１のＳＷ２及び照明器具３の端末装置に対する監視及び制御の動作は、第１の実施形態における照明制御装置１の動作と同様であるので、その説明を省略する。
【００７６】
図１１（Ｅ）に示すように、電圧監視部１１３は、バックアップ電源回路１０３の出力電圧が電圧監視閾値以下に低下したことを検出すると、商用電源が停電したと判断し、割込み制御部１１４に停電発生信号を出力する。割込み制御部１１４は、電圧監視部１１３からこの停電発生信号が入力されると、電圧低下割込み信号をＣＰＵ１２１に出力する。
【００７７】
図１４において、ＣＰＵ１２１は、電圧低下割込み信号の割込みがあると、処理中のデータを第２記憶部１２３に退避して実行中の制御プログラムを一旦停止する（Ｓ４１）。次に、ＣＰＵ１２１は、低動作モードの動作モード制御信号をＮＴ通信部１３１に出力し（Ｓ４２）、そして、ＣＰＵ１２１は、クロック供給停止信号をクロック制御部１１２に出力する（Ｓ４３）。ＮＴ通信部１３は、ＣＰＵ１２１からこの低動作モードの動作モード制御信号が入力されると、伝送路Ｌ２を介して通信信号を送受信する回路の動作を停止する。即ち、ＮＴ通信部１３１は、低消費電力状態となる。クロック制御部１１２は、ＣＰＵ１２１からこのクロック供給停止信号が入力されると、クロック発振回路１１１からＣＰＵ１２１に供給されるクロックの供給を停止する。ＣＰＵ１２１は、クロックの供給が停止されることによってその動作を停止する。即ち、ＣＰＵ１２１は、低消費電力状態（低消費電力モード）となる（Ｓ４４）。
【００７８】
このようにバックアップ電源回路１０３の出力電圧が電圧監視閾値以下に低下すると、商用電源の停電と判断され、ＣＰＵ１２１の動作及びＮＴ通信部１３１の動作が停止する。このため、図１１（Ａ）に示すように、照明制御装置１の消費電力が第１の実施形態に係る照明制御装置１に較べてさらに少なくなるので、バックアップ電源回路１０３に蓄積されている電力（電荷）によって電圧監視部１１３及び第２記憶部１２３等の必要最小限な部分の動作をより長い時間確保することができる。あるいは、照明制御装置１”の消費電力がさらに非常に少なくなるので、さらに小容量のコンデンサで構成されるバックアップ電源回路で必要最小限な部分の動作を瞬停程度の一定時間確保することができる。
【００７９】
そして、停電が復旧した場合における照明制御装置１”の動作は、図７に示す処理Ｓ２１でＣＰＵ１２１が割込み制御部１１４から電圧復旧割込み信号の割込みを受信した場合に、各ＳＷ２及び各照明器具３の監視及び制御することに加えて、通常動作モードの動作モード制御信号をＮＴ通信部１３１に送信することを除き、図７に示す動作と同様なので、その説明を省略する。
【００８０】
ここで、照明制御装置１”の低消費電力状態中にＰＣ４がＳＷ２及び照明器具３の端末装置に対する制御要求や端末情報の送信要求等の通信信号（送信メッセージ）を伝送路Ｌ２を介して送信した場合におけるＰＣ４の動作について説明する。
【００８１】
図１５は、第３実施形態に係る照明制御装置が低消費電力状態にある場合に通信信号を送信した場合におけるＰＣの動作を示すフローチャートである。
【００８２】
図１５において、ＰＣ４は、送信メッセージを伝送路Ｌ２を介して照明制御装置１”に送信する（Ｓ５１、図１２のＮ２ａ、図１３のＮ２ａ）。照明制御装置１”のＮＴ通信部１３１は、その動作を停止中なので、送信メッセージに応答することがない。
【００８３】
そのため、ＰＣ４は、送信メッセージに対する応答信号を照明制御装置１”から受信することなく、所定時間内にこの応答信号の受信が無いと（Ｓ５２）、所定の時間、例えば、停電保証時間あるいはこの時間よりも長い時間だけ待機し（Ｓ５３）、送信メッセージを再送信する（Ｓ５４、図１２のＮ２ｂ、図１３のＮ２ｂ）。
【００８４】
ＰＣ４は、再送信した送信メッセージに対する応答信号が有るか否かを判断する（Ｓ５５）。判断の結果、応答信号がある場合（Ｙｅｓ、図１２Ｎ４）には、ＰＣ４は、通常の所定の処理を実行する（Ｓ５７）。一方、ＰＣ４は、この通信信号の再送信に対して所定の時間が経過しても応答信号や否定応答信号等何ら通信信号を受信しない場合（Ｎｏ、図１３）には、照明制御装置１”が停電保証時間を越えて動作停止中であると認識し、例えば照明制御装置１”が長時間停電中等の照明制御装置１”が異常である旨を表示装置に表示する等、所定の異常処理を実行する（Ｓ５６）。
【００８５】
以上のように、ＰＣ４は、伝送路Ｌ２を介して送信メッセージを送信した場合に、応答が無い場合には所定時間の経過後に送信メッセージを再送信し、さらに応答が無い場合には所定の異常処理を行うので、照明制御装置１”が低消費電力状態である場合に適切に対応することができる。このため、ユーザに照明制御システムに対する信頼感を与え、ブランドイメージを向上させることができる。
【００８６】
次に、別の実施形態について説明する。
（第４の実施形態の構成）
第３の実施形態では、ＰＣ４は、送信メッセージを送信し、その応答信号の有無によって照明制御装置１”が低消費電力状態であるか否かを判断し、そして、送信メッセージを再送信し、その応答信号の有無によって照明制御装置１”の異常を判断したが、第４の実施形態では、照明制御装置（符号を１”’とする）が低消費電力状態に入る際にＮＴ通信部１３１を介して低消費電力状態に入る旨をＰＣ４に通知する実施形態である。
【００８７】
従って、第４の実施形態に係る照明制御装置１”’では、ＣＰＵ１２１は、第３の実施形態に係る照明制御装置１”の機能に加えて、割込み制御部１１４から電圧低下割込み信号を受信すると低消費電力状態に入る旨を示す通信信号（低消費電力状態開始信号）をＮＴ通信部１３１を介してＰＣ４に送信すると共に、割込み制御部１１４から電圧復旧割込み信号を受信すると低消費電力状態から通常動作状態に復帰した旨を示す通信信号（低消費電力状態解除信号）をＮＴ通信部１３１を介してＰＣ４に送信する機能を備える。また、ＰＣ４は後述のように動作する。これらの点を除き、第４の実施形態に係る照明制御装置１”’の構成は、第３の実施形態に係る照明制御装置１”と同様であるので、その説明を省略する。
【００８８】
次に、本実施形態の動作について説明する。
（第４の実施形態の動作）
図１６は、第４実施形態に係る照明制御装置における、停電保証期間中に停電が復帰した場合の停電発生及び停電復旧の際のシーケンスを示す図である。図１７は、第３実施形態に係る照明制御装置における、停電保証期間中に停電が復帰しなかった場合の停電発生及び停電復旧の際のシーケンスを示す図である。
【００８９】
図１６及び図１７において、商用電源から実効電圧約１００Ｖの交流が供給されている場合における、照明制御装置１のＳＷ２及び照明器具３の端末装置に対する監視及び制御の動作は、第１の実施形態における照明制御装置１の動作と同様であるので、その説明を省略する。
【００９０】
そして、第４の実施形態において、バックアップ電源回路１０３の出力電圧が電圧監視閾値以下に低下した場合における照明制御装置１”’の動作は、図１４に示す処理Ｓ４２において、ＣＰＵ１２１が低消費電力状態開始信号をＮＴ通信部１３１を介してＰＣ４に送信する処理を行った後に、低電力モードの動作モード制御信号をＮＴ通信部１３１に出力する点を除き、第３の実施形態におけるバックアップ電源回路１０３の出力電圧が電圧監視閾値以下に低下した場合における照明制御装置１”の動作と同様なので、その説明を省略する。
【００９１】
さらに、第４の実施形態において、停電が復旧した場合における照明制御装置１”’の動作は、図７に示す処理Ｓ２１でＣＰＵ１２１が割込み制御部１１４から電圧復旧割込み信号の割込みを受信した場合に、各ＳＷ２及び各照明器具３の監視及び制御することに加えて、通常電圧モードの動作モード制御信号をＮＴ通信部１３１に送信した後にさらに低消費電力状態解除信号をＮＴ通信部１３１を介してＰＣ４に送信する処理を行う点を除き、図７に示す動作と同様なので、その説明を省略する。
【００９２】
一方、照明制御装置１”’の低消費電力状態中にＰＣ４がＳＷ２及び照明器具３の端末装置に対する制御要求や端末情報の送信要求等の通信信号（送信メッセージ）を伝送路Ｌ２を介して送信する場合におけるＰＣ４の動作について説明する。
【００９３】
図１８は、第４実施形態に係る照明制御装置が低消費電力状態にある場合に通信信号を送信した場合におけるＰＣの動作を示すフローチャートである。
【００９４】
図１８において、ＰＣ４は、送信メッセージを伝送路Ｌ２を介して照明制御装置１”’に送信する必要が生じると（Ｓ６１）。照明制御装置１”からＮＴ通信部１３１及び伝送路Ｌ２を介して低消費電力状態開始信号を受信したか否かを判断する（Ｓ６２）。この判断は、例えば、ＰＣ４が低消費電力状態開始信号を受信したことを示すフラグを立てて、ＰＣ４の記憶部に記憶するように構成し、これを参照するように構成すればよい。
【００９５】
判断の結果、低消費電力状態開始信号を受信していない場合（Ｎｏ）には、ＰＣ４は、後述の処理Ｓ６５を実行し、低消費電力状態開始信号を受信している場合（Ｙｅｓ、図１６Ｎ５ａ、図１７Ｎ５ａ）には、ＰＣ４は、当該送信メッセージをその記憶部に保持し、所定の時間、例えば、停電保証時間あるいはこの時間よりも長い時間だけ待機する（Ｓ６３）。
【００９６】
次に、ＰＣ４は、待機中に低消費電力状態解除信号を受信したか否かを判断する（Ｓ６４）。判断の結果、低消費電力状態解除信号を受信している場合（Ｙｅｓ、図１６Ｎ５ｂ）には、ＰＣは、処理Ｓ６５を実行し、一方、低消費電力状態解除信号を受信していない場合（Ｎｏ）には、処理Ｓ６７を実行する。
【００９７】
処理Ｓ６５において、ＰＣ４は、送信メッセージ（再送信の場合には記憶部に保持している送信メッセージ）を伝送路Ｌ２を介して照明制御装置１”’に送信する。ＰＣ４は、この送信した送信メッセージに対する応答信号が有るか否かを判断する（Ｓ６５）。判断の結果、応答信号がある場合（Ｙｅｓ、図１６のＮ７）には、ＰＣ４は、通常の所定の処理を実行する（Ｓ６８）。一方、ＰＣ４は、この通信信号の送信に対して所定の時間が経過しても応答信号や否定応答信号等何ら通信信号を受信しない場合（Ｎｏ、図１７）には、照明制御装置１”が停電保証時間を越えて動作停止中であるとか何らかの原因により故障で動作停止中であると認識し、例えば照明制御装置１”が長時間停電中等の照明制御装置１”が異常である旨を表示装置に表示する等、所定の異常処理を実行する（Ｓ６７）。
【００９８】
以上のように、ＰＣ４は、伝送路Ｌ２を介して送信メッセージを送信する場合に、照明制御装置１”’から低消費電力状態開始信号の受信や低消費電力状態解除信号の受信に応じた処理を上述のように行うので、照明制御装置１”’が低消費電力状態である場合に適切に対応することができる。このため、ユーザに照明制御システムに対する信頼感を与え、ブランドイメージを向上させることができる。
【００９９】
なお、上述の実施形態において、ＣＰＵ１２１は、割込み制御部１１４から電圧低下割込み信号が入力されると計時を開始し、バックアップ電源回路１０３によって所定の電圧を保持できる時間の経過直前に、停電が復旧しないために照明制御装置１、１’、１”、１”’の動作を復旧できない旨を示す通信信号をＮＴ通信部１３１及び伝送路Ｌ２を介してＰＣ４に送信するように構成してもよい。
【０１００】
また、上述の実施形態では、本発明が照明器具を監視及び制御する照明制御システムに適用された場合について説明したが、本発明は、これに限定されず、所定の端末装置を監視及び／又は制御する端末制御システムに適用可能である。所定の端末装置は、電気をエネルギー源として稼動する装置であり、例えば、上述の照明器具及び空調装置等のオフィス環境や住戸環境を調整する装置、エレベータやエスカレータ等の人の移動を補助する移動補助設備、電力計、ガスメータ及び量水器等の計量装置、煙センサ、温度センサ、湿度センサ、照度センサ及び人感センサ等のセンサ、電子錠装置等の住戸設備、テレビジョン、ビデオテープレコーダ、ＤＶＤレコーダ及び洗濯機等の家電製品、コンピュータ等の情報処理装置、電話機及びファクシミリ装置等の通信機器、そして、脈拍計、体温計、血中酸素濃度計及び心電図計等の医療機器等である。
【図面の簡単な説明】
【０１０１】
【図１】第１実施形態に係る照明制御システムの構成を示すブロック図である。
【図２】第１実施形態に係る照明制御装置の構成を示すブロック図である。
【図３】第１実施形態に係る照明制御装置の概観図である。
【図４】第１実施形態に係る照明制御装置における停電発生及び停電復旧の際のタイミングチャートを示す図である。
【図５】第１実施形態に係る照明制御装置における停電発生及び停電復旧の際のシーケンスを示す図である。
【図６】第１実施形態の停電発生の場合におけるＣＰＵの動作を示すフローチャートである。
【図７】第１実施形態の停電復旧の場合におけるＣＰＵの動作を示すフローチャートである。
【図８】第２実施形態に係る照明制御装置における、停電保証期間中に停電が復帰した場合の停電発生及び停電復旧の際のシーケンスを示す図である。
【図９】第２実施形態に係る照明制御装置における、停電保証期間中に停電が復帰しなかった場合の停電発生及び停電復旧の際のシーケンスを示す図である。
【図１０】第２実施形態の低消費電力状態にある場合におけるＣＰＵの動作を示すフローチャートである。
【図１１】第３実施形態に係る照明制御装置における停電発生及び停電復旧の際のタイミングチャートを示す図である。
【図１２】第３実施形態に係る照明制御装置における、停電保証期間中に停電が復帰した場合の停電発生及び停電復旧の際のシーケンスを示す図である。
【図１３】第３実施形態に係る照明制御装置における、停電保証期間中に停電が復帰しなかった場合の停電発生及び停電復旧の際のシーケンスを示す図である。
【図１４】第３実施形態の停電発生の場合におけるＣＰＵの動作を示すフローチャートである。
【図１５】第３実施形態に係る照明制御装置が低消費電力状態にある場合に通信信号を送信した場合におけるＰＣの動作を示すフローチャートである。
【図１６】第４実施形態に係る照明制御装置における、停電保証期間中に停電が復帰した場合の停電発生及び停電復旧の際のシーケンスを示す図である。
【図１７】第３実施形態に係る照明制御装置における、停電保証期間中に停電が復帰しなかった場合の停電発生及び停電復旧の際のシーケンスを示す図である。
【図１８】は、第４実施形態に係る照明制御装置が低消費電力状態にある場合に通信信号を送信した場合におけるＰＣの動作を示すフローチャートである。
【符号の説明】
【０１０２】
１  照明制御装置（端末制御装置の一例）
２  スイッチ（端末装置の一例）
３  照明器具（端末装置の一例）
４  制御端末装置
１０  電源回路部
１１  消費電力低減部
１１ａ  モード切替部
１２  処理部
１３  通信インタフェース部
１０３  バックアップ電源回路
１１２  クロック制御部
１１３  電圧監視部
１１４  割込み制御部
１２１  中央処理装置
１２２  第１記憶部
１２３  第２記憶部
１３１  ネットワーク通信部
１０００  照明制御システム（端末制御システムの一例）
１２３１  端末情報テーブル
Ｌ１  伝送路（第１伝送路に相当）
Ｌ２  伝送路（第２伝送路に相当）
【図１】
2005141623.tif 000003
【図２】
2005141623.tif 000004
【図３】
2005141623.tif 000005
【図４】
2005141623.tif 000006
【図５】
2005141623.tif 000007
【図６】
2005141623.tif 000008
【図７】
2005141623.tif 000009
【図８】
2005141623.tif 000010
【図９】
2005141623.tif 000011
【図１０】
2005141623.tif 000012
【図１１】
2005141623.tif 000013
【図１２】
2005141623.tif 000014
【図１３】
2005141623.tif 000015
【図１４】
2005141623.tif 000016
【図１５】
2005141623.tif 000017
【図１６】
2005141623.tif 000018
【図１７】
2005141623.tif 000019
【図１８】
2005141623.tif 000020